(57)【要約】【課題】調理容器の温度を所定の温度に精度よく加熱し、維持等することができる加熱調理器を得る。【解決手段】鍋１００を加熱する加熱コイル６１と、鍋１００の温度を検知する赤外線センサ８０と、赤外線センサ８０の検知に係る温度が第１の所定温度に達するまで、加熱コイル６１に第１の加熱量で鍋１００を加熱させる制御を行い、第１の所定温度以上であると判断すると、少なくとも１種類は第１の加熱量よりも少ない第２の加熱量で加熱させる電力である、少なくとも２種類以上の異なった電力を組み合わせて構成した入力電力パターンにより鍋１００を加熱させる制御を行い、第２の所定温度以下になったものと判断すると、加熱コイル６１に第１の加熱量で調理容器を加熱させる制御を行う制御装置５０とを備える。【選択図】図３
2014026772.tif 000002
【特許請求の範囲】
【請求項１】
調理容器を加熱する加熱手段と、
前記調理容器の温度が一定になるよう加熱手段の制御を行う制御手段と、
前記調理容器の温度を検知する温度検知手段とを備え、
前記制御手段は、設定した第１の所定温度付近の温度域と、前記第１の所定温度より高い温度域と、前記第１の所定温度より低い温度域で、それぞれ１又は複数の設定温度をあらかじめ設定しておき、
前記第１の所定温度付近の温度域にあると前記温度検知手段が判断すると、その温度を保持できる程度に設定した第１の加熱量で加熱し、
前記第１の所定温度より高い温度域で各設定温度を上回ったと前記温度検知手段が判断すると、前記第１の所定温度と各設定温度との温度差が大きいほど小さくなるように設定した前記第１の加熱量より小さい加熱量で加熱し、
前記第１の所定温度より低い温度域で各設定温度を下回ったと前記温度検知手段が判断すると、前記第１の所定温度と各設定温度との温度差が大きいほど大きくなるように設定した前記第１の加熱量より大きい加熱量で加熱し、
それぞれの加熱量は、少なくとも２種類以上の異なった電力を組み合わせて構成した入力電力パターンにより、前記調理容器を加熱させる制御を行い、
前記第１の加熱量から、前記第１の加熱量よりも小さい第２の加熱量に下げる場合には、異なる２種類以上の電力のうち、少なくとも１種類の電力が前記第１の加熱量で含む電力より小さい電力を含む入力電力パターンとし、
前記第１の加熱量から、前記第１の加熱量よりも大きい第３の加熱量に上げる場合には、異なる２種類以上の電力のうち、少なくとも１種類の電力が前記第１の加熱量で含む電力より大きい電力を含む入力電力パターンとすることで、前記第１の所定温度に達するように前記調理容器を加熱させる制御を行うことを特徴とする加熱調理器。
【請求項２】
前記入力電力パターンは、
前記第１の加熱量から、前記第１の加熱量よりも小さい第２の加熱量に下げる場合には、前記異なる２種類以上の電力のうち、最小の電力からパターンを開始する構成とし、
前記第１の加熱量から、前記第１の加熱量よりも大きい第３の加熱量に上げる場合には、前記異なる２種類以上の電力のうち、最大の電力からパターンを開始する構成とすることを特徴とする請求項１に記載の加熱調理器。
【請求項３】
前記制御手段による２種類以上の電力の入力電力パターンは、４秒から１０秒の間の周期とすることを特徴とする請求項１又は２に記載の加熱調理器。
【請求項４】
所定温度を保持する場合の前記制御手段による２種類以上の電力の１つの入力電力パターンの最大電力は、その電力を一定で入れ続けると、調理容器の温度が緩やかに上昇し続ける電力とし、前記入力電力パターンの最小電力は、その電力を一定で入れ続けると、調理容器の温度が緩やかに下降し続ける電力とし、その前記最大電力と前記最小電力の差は４００Ｗ以下とすることを特徴とする請求項１〜３のいずれか１項に記載の加熱調理器。
【請求項５】
前記温度検知手段が検出した温度が、前記制御手段であらかじめ設定した各設定温度のうち、最高温度以上の場合は、その調理モードの中の最大電力に固定することを特徴とする請求項１〜４のいずれか１項に記載の加熱調理器。
【請求項６】
前記温度検知手段が検出した温度が、前記制御手段であらかじめ設定した各設定温度のうち、最低温度以下の場合は、電力を０Ｗに固定することを特徴とする請求項１〜５のいずれか１項に記載の加熱調理器。
【請求項７】
前記調理容器の反り量を判定し、前記反り量に基づいて前記入力電力パターンを変更する処理を行う鍋反り判定手段をさらに備えることを特徴とする請求項１〜６のいずれか１項に記載の加熱調理器。
【請求項８】
前記調理容器の底厚を判定し、前記底厚に基づいて前記入力電力パターンを変更する処理を行う底厚判定手段をさらに備えることを特徴とする請求項１〜７のいずれか１項に記載の加熱調理器。
【請求項９】
前記調理容器内の油量を判定し、前記油量に基づいて前記入力電力パターンを変更する処理を行う油量判定手段をさらに備えることを特徴とする請求項１〜８のいずれか１項に記載の加熱調理器。
【請求項１０】
前記調理容器を載置する天板をさらに備え、
前記天板は赤外線を透過させる結晶化ガラスを有し、前記温度検知手段は、前記天板下面に配し、前記調理容器の底面より放射される赤外線を前記天板を介して検知する赤外線センサであることを特徴とする請求項１〜９のいずれか１項に記載の加熱調理器。
【請求項１１】
前記赤外線センサの受光面を覆い所定帯域の光透過特性を有するバンドパスフィルタをさらに備えることを特徴とする請求項１０に記載の加熱調理器。
【請求項１２】
前記赤外線センサの赤外線の受光面前面に、前記結晶化ガラスと同じ光透過特性を有したフィルタを備えることを特徴とする請求項１０に記載の加熱調理器。
【請求項１３】
前記赤外線センサの検知に基づいて前記調理容器の放射率を判定し、前記放射率に基づいて前記入力電力パターンを変更する処理を行う放射率判定手段をさらに備えることを特徴とする請求項１０〜１２のいずれか１項に記載の加熱調理器。
【請求項１４】
前記温度検知手段には、前記天板の温度を検出するサーミスタをさらに設け、前記赤外線センサの検知した温度から、サーミスタの検知した天板の温度成分を差し引く補正式を用いて温度を導き出すことを特徴とする請求項１０〜１３のいずれか１項に記載の加熱調理器。
【請求項１５】
請求項１〜１４のいずれか１項に記載の加熱調理器の制御手段が行う制御に係る処理をコンピュータに実行させる加熱調理プログラム。
【発明の詳細な説明】
【技術分野】
【０００１】
本発明は、加熱手段を用いて、被加熱物の入った調理容器を加熱する加熱調理器等に関するものである。
【背景技術】
【０００２】
加熱調理器を用いた調理を行う際、設定した油の温度、フライパン（鍋）の温度等を維持する調理を行う場合がある。このとき、例えば従来の誘導加熱調理器においては、赤外線センサなどの温度検知手段の出力に基づいて、設定温度に到達したと判断した後は、鍋の温度を適温に維持するために、温度検知手段の出力により鍋底の厚さを判定する。そして、温度検知手段の出力を一定に維持するため出力に合わせて火力を制御し、制御時の温度は前記鍋底厚さの判定結果に応じて決定することにより、鍋の形状を考慮して温度を一定に保つようにしたものがある（例えば特許文献１参照）。そして、さらに、例えば鍋の温度等を一定温度に維持しているときに、鍋に調理物が投入されて温度傾きが所定値以上の負の値になった場合には、維持しているときの温度検知手段の出力値、温度傾き及び鍋底厚さの判定結果に基づき、最適な加熱パターンを選択し、油の温度や鍋の温度を一定に保つようにしている。
【０００３】
このような油の温度や鍋の温度を適温に維持するための加熱パターンの実施例としては、例えば、５００Ｗの矩形波の電力とし、この矩形波の電力（第１の矩形波電力）を誘導加熱コイルに供給しても温度検出器で検出される温度が下降したことを検出したときに、調理物が投入されたと判断するようにしたものがある（例えば特許文献２参照）。これによれば、食品などの調理物を投入することで油温が急激に下降した際は、温度検出器で検出される温度も下降するため、制御手段はこの温度の下降を検知し、制御温度（１８５℃）を維持するように誘導加熱コイルに供給する電力を制御する。誘導加熱コイルに供給する電力が５００Ｗでは制御温度（１８５℃）を維持できずに更に下降を続けた場合、１０００Ｗ，１５００Ｗの電力を供給して鍋底の温度の降下を止めて制御温度（１８５℃）に再上昇させるようにしている。
【０００４】
具材等の負荷が投入された時に、油の温度や鍋の温度を適温に維持するための加熱パターンとしては、温度検知手段である赤外線センサが鍋の温度が高温になったことを検知して電力制御を行う際に、急激に鍋温度が下がり調理ができなくなったり、使用者が電力低下感を感じたりすることがないように、温度検知手段が検知した調理容器の温度が第１の所定値以上となった場合に、第１の所定値より低い第２の所定値以下になるまで、設定された加熱量での加熱を中断し、少なくとも２種類以上の異なった入力電力を組み合わせた入力電力パターンであって、その少なくとも１種類は設定された加熱量よりも小さい加熱量の入力電力からなる入力電力パターンで加熱を行うようにしたものがある（例えば特許文献３参照）。
【先行技術文献】
【特許文献】
【０００５】
【特許文献１】特開２０１０−２１２０５３号公報（請求項１、３、図２〜図７）
【特許文献２】特開２０１２−５９４７８号公報（図３）
【特許文献３】特開２０１１−５４３０４号公報（請求項１、４、５、図３）
【発明の概要】
【発明が解決しようとする課題】
【０００６】
以上のように、従来の誘導加熱調理器においては、揚げ物調理やフライパンでの調理の際、油の温度やフライパン（鍋）の温度を一定に維持するように、トッププレートに押し当てたサーミスタ等の温度センサにより、間接的に鍋温度（鍋底温度）を検知する。そして、検知したセンサの出力が所定値を上回ったら油や鍋が高温になるのを防ぐために被加熱物への加熱を停止し、センサの出力が所定値を下回ったら油や鍋の温度が下がるのを防ぐために被加熱物への加熱を再開させるよう、加熱コイルへの電力制限を行うものであった。
【０００７】
このとき、上記の特許文献１に記載の誘導加熱調理器において、加熱コイルに対する出力制御は、高周波電力の出力レベル、デューティ比、出力時間間隔などで制御を行うとされている。しかし、それぞれのコイルに対する出力制御の例では、具体的な出力レベルやデューティ比、出力時間間隔などは示されていない。
【０００８】
また、上記の特許文献２に記載の誘導加熱調理器において、油の温度や鍋の温度を適温に維持するための加熱パターンとして、揚げ物調理で油の設定温度が２００℃の場合、油の設定温度より１５℃低い１８５℃を制御温度とし、５００Ｗの矩形波の電力で制御するとしている。矩形波の具体的なデューティ比、出力時間間隔などは示されていない。さらに、具材などの負荷を投入しない場合でも、油の温度を一定に維持するためには、油量や鍋の反り量などによって、最適な加熱パターンは変わる。このため、５００Ｗの矩形波の電力供給では温度が低下し続ける可能性があり、この温度低下を具材投入によるものと誤検知してしまうと強い火力で加熱が行われてしまう可能性があり、大変危険である。
【０００９】
さらに、上記の特許文献３に記載の誘導加熱調理器において、赤外線センサが鍋温度が高温になったことを検知して電力制御を行う際に、急激に鍋温度が下がり調理ができなくなったり、使用者が電力低下感を感じることがないようにしたとされているが、負荷投入時は加熱を行うことができるが、負荷投入前は第１の温度所定値と第２の温度所定値で制御を行い、第２の所定値を下回った場合、第１の所定値に達するまでの比較的長い時間、第１の加熱電力量で加熱するため、温度が上がりすぎてしまい、いわゆるオーバーシュートが発生してしまい、温度が下がるまでに時間がかかる恐れがあった。またオーバーシュートが発生している時に、具材を投入されると、第２の所定値を下回るまで強い火力を入れられないため、温度が復帰するまでに時間がかかり、揚げ物では冷凍コロッケなどの重負荷が投入された場合にカラッと仕上がらず、衣が破裂したりするなどという問題があり、フライパン調理では野菜炒めなどで火力感が得られないという問題があった。
【００１０】
この発明は、上述のような課題を解決するためになされたもので、調理容器の温度を所定の温度に精度よく加熱し、維持等することができる加熱調理器を得ることを目的とする。
【課題を解決するための手段】
【００１１】
この発明に係る加熱調理器は、調理容器を加熱する加熱手段と、調理容器の温度が一定になるよう加熱手段の制御を行う制御手段と、調理容器の温度を検知する温度検知手段とを備え、制御手段は、設定した第１の所定温度付近の温度域と、第１の所定温度より高い温度域と、第１の所定温度より低い温度域で、それぞれ１又は複数の設定温度をあらかじめ設定しておき、第１の所定温度付近の温度域にあると温度検知手段が判断すると、その温度を保持できる程度に設定した第１の加熱量で加熱し、第１の所定温度より高い温度域で各設定温度を上回ったと温度検知手段が判断すると、第１の所定温度と各設定温度との温度差が大きいほど小さくなるように設定した第１の加熱量より小さい加熱量で加熱し、第１の所定温度より低い温度域で各設定温度を下回ったと温度検知手段が判断すると、第１の所定温度と各設定温度との温度差が大きいほど大きくなるように設定した第１の加熱量より大きい加熱量で加熱し、それぞれの加熱量は、少なくとも２種類以上の異なった電力を組み合わせて構成した入力電力パターンにより、調理容器を加熱させる制御を行い、第１の加熱量から、第１の加熱量よりも小さい第２の加熱量に下げる場合には、異なる２種類以上の電力のうち、少なくとも１種類の電力が第１の加熱量で含む電力より小さい電力を含む入力電力パターンとし、第１の加熱量から、第１の加熱量よりも大きい第３の加熱量に上げる場合には、異なる２種類以上の電力のうち、少なくとも１種類の電力が第１の加熱量で含む電力より大きい電力を含む入力電力パターンとすることで、第１の所定温度に達するよう調理容器を加熱させる制御を行うものである。
【発明の効果】
【００１２】
この発明に係る加熱調理器によれば、設定した第１の所定温度付近の温度域では、その温度を保持できる程度の火力に設定した第１の加熱量で加熱し、設定した第１の所定温度より高い温度域であると制御手段が判断すれば、第１の所定温度との温度差に応じて、温度差が大きいほど小さくなるように設定した第１の加熱量より小さい加熱量で加熱し、設定した第１の所定温度より低い温度域であると制御手段が判断すれば、第１の所定温度との温度差に応じて、温度差が大きいほど大きくなるように設定した第１の加熱量より大きい加熱量で加熱し、少なくとも２種類以上の異なった電力を組み合わせて構成した入力電力パターンにより加熱することで、調理容器等の温度が急激に変動しないように加熱制御を行うことができ、調理容器の温度を第１の所定温度近辺に精度よく保つことができる。また、これにより、フライパン調理、揚げ物調理等をする際に、具材投入による温度変動を精度良く検知することができる。
【図面の簡単な説明】
【００１３】
【図１】本発明の実施の形態１に係る誘導加熱調理器の斜視図である。
【図２】本発明の実施の形態１の誘導加熱調理器の制御系を説明するための図である。
【図３】本発明の実施の形態１に係る誘導加熱調理器の誘導加熱に係る制御を行うための構成を説明する図である。
【図４】本実施の形態の誘導加熱調理器の動作を示すタイミングチャートの一例を表す図である。
【図５】本発明の実施の形態の誘導加熱調理器の入電力パターンの一例を示す図である。
【図６】本発明の実施の形態４に係る自動揚げ物メニューが選択されたときの制御装置５０の処理手順を示す図（その１）である。
【図７】本発明の実施の形態４に係る自動揚げ物メニューが選択されたときの制御装置５０の処理手順を示す図（その２）である。
【図８】投入される具材量、鍋１００の温度（検知温度）及び火力の関係を示す図である。
【図９】本発明の実施の形態４に係る自動揚げ物メニューにおける通電制御パターン等の一例を示す図である。
【発明を実施するための形態】
【００１４】
実施の形態１．
図１は本発明の実施の形態１に係る誘導加熱調理器の斜視図である。図１に示すように、本実施の形態の加熱調理器は、電磁誘導を利用して加熱対象である被加熱物を加熱する誘導加熱調理器について説明する。本体ケース１の例えば赤外線を透過させる結晶化ガラスを素材とするトッププレート（天板）１０は、加熱対象を載置する。本実施の形態では、トッププレート１０上に、載置した加熱対象を誘導加熱できる部分となる加熱口１３Ｌ（左側）、加熱口１３Ｒ（右側）を有している。正面右側にある操作パネル２０には、使用者が加熱口１３Ｌ、加熱口１３Ｒにおける誘導加熱による火力（電力）を調節するためのダイヤル２１Ｌ、２１Ｒを有している。
【００１５】
また、誘導加熱調理器の上面前部には、各種の調理条件の設定値、警報や異常情報を表示する表示手段としての液晶表示基板を備えた中央表示パネル３０を有している。また、誘導加熱における火力値、火力レベル（強、中、弱等）等を表示する液晶表示基板を備えた表示パネル３１Ｌ及び表示パネル３１Ｒを有している。さらに、加熱口１３Ｌ、１０Ｒ上の加熱対象の加熱時間や油調理時の油温度を液晶文字や複数の発光ダイオード（発光体）などで表示する表示部３２Ｌ、３２Ｒを有している。そして、加熱動作の開始等の操作をするための上面操作部２２が設置されている。
【００１６】
また、誘導加熱調理器の左下側内部にグリル調理器を有している。グリル調理器は、誘導加熱調理器の前面部の左側に開閉可能に設置されたグリル扉４１を有している。また、グリル扉４１で前面開口部が開閉自在に閉鎖された調理空間であるグリル庫４２を有している。そして、グリル庫４２の底部に載置された受け皿４３及び受け皿４３の上に置かれて上側に魚等の被調理物を載置するグリル網４４を有している。グリル扉４１には、そのグリル扉を開閉するために使用者が手を掛けるための取っ手４６が設置されている。
【００１７】
そして、誘導加熱調理器の上面後部には、グリル調理器のグリル庫４２内等に空気を取り込むための吸気口４７、及び、グリル庫４２内の調理物から発生する煙等を排出するための排気口４８が形成されている。吸気口４７から取り込まれた空気の一部は、後述する加熱部６０Ｌ、６０Ｒの冷却用にも使用される。
【００１８】
図２は本発明の実施の形態１の誘導加熱調理器の制御系を説明するための図である。図２において、主電源スイッチ１２は、使用者の操作に基づいて、商用電源等、外部の交流電源２００からの電力の供給又は停止を行う。電源回路５６は、供給された電力の電圧変換等を行って制御装置５０に供給する。制御手段となる制御装置５０は、例えばマイクロコンピュータ等で構成し、演算等、各種データ処理を行い、誘導加熱調理器全体を制御するものである。制御装置５０については後述する。
【００１９】
インバータ７０Ｌ、７０Ｒは、制御装置５０からの指示に基づいて駆動し、交流電源２００からの電力を高周波電力に変換して、それぞれ加熱部６０Ｌ、６０Ｒに供給する回路（手段）である。加熱部６０Ｌ、６０Ｒは、それぞれ加熱コイル６１Ｌ、６１Ｒ、共振コンデンサー６２Ｌ、６２Ｒ等を有している。加熱コイル６１Ｌ、６１Ｒは、加熱口１３Ｌ、加熱口１３Ｒに対応して本体ケース１内（トッププレート１０の下面側）に設けられる。インバータ７０Ｌ、７０Ｒからの電力供給により共振コンデンサー６２Ｌ、６２Ｒとの共振により交番磁界を発生し、鍋１００を電磁誘導により加熱する。ここで、インバータ７０Ｌ、７０Ｒは、制御装置５０からの指示に基づいて、互いに独立して駆動することができる。そして、以下においては、加熱コイル６１Ｌ、６１Ｒ等において、左右のいずれかを特に区別しない場合には、Ｌ、Ｒの添字を省略して説明する。
【００２０】
グリルヒータ駆動回路７１は制御装置５０からの指示に基づき、グリル調理器のグリル庫４２内部に複数個設置した例えばシーズヒータ等の輻射式電気ヒータ６３を加熱させるための電力供給制御を行う。輻射式電気ヒータ６３は例えばグリル庫４２の内部の天井付近と底面付近にそれぞれ水平に設置されており、グリル網４４を上方と下方から加熱できるように構成されている。また、触媒ヒータ駆動回路７２は、制御装置５０からの指示に基づき、グリル庫４２から排気口４８に至る排気ダクト（図示せず）の入口部又はその途中に設置された触媒（図示せず）を加熱させる触媒ヒータ６４への電力供給制御を行う。触媒（図示せず）を加熱することで酸化還元作用を促進し、グリル庫４２から放出される煙の除去作用を促進する。
【００２１】
表示部駆動回路３３は、前述した中央表示パネル３０、表示パネル３１Ｌ、３１Ｒ及び表示部３２Ｌ、３２Ｒに表示を行わせるための信号作成処理を行う回路である。また、音声合成装置３４は、使用者に対する操作の案内、異常発生時の報知等に係る音声を電子的に作成して合成する処理を行う装置である。そして、スピーカ３５は音声合成装置３４が処理により作成した音声等を発する装置である。
【００２２】
図３は本発明の実施の形態１に係る誘導加熱調理器の誘導加熱に係る制御を行うための構成を説明する図である。温度検知手段となる赤外線センサ８０はトッププレート１０の下面側に取り付けられる。トッププレート１０上に載置された鍋１００（例えば鍋１００の底面）等から放射される赤外線をトッププレート１０を介して受光して赤外線量を検知する。また、本実施の形態では、接触式温度センサ８１は、例えばサーミスタ又は熱電対で構成し、トッププレート１０に接触させて取り付けられ、トッププレート１０を介して鍋１００の温度を検知する。
【００２３】
ここで、赤外線センサ８０は、トッププレート１０を介して赤外線を受光するため、トッププレート１０が放射した赤外線も受光することになる。そこで、例えば赤外線センサ８０の受光面を、所定帯域の光透過特性を有するバンドパスフィルタで覆うようにし、トッププレート１０の放射に係る赤外線成分を除去するようにしてもよい。また、赤外線センサ８０の赤外線の受光面前面に、トッププレート１０の結晶化ガラスと同じ光透過特性を有したフィルタを備え、トッププレート１０の放射に係る赤外線成分を除去するようにしてもよい。フィルタを設けることにより、鍋１００から放射される赤外線を受光して、より高精度に鍋１００の温度（鍋温度）を検知することができる。
【００２４】
遮光手段（遮光膜）１１は、例えばトッププレート１０の下面に印刷されてあり、誘導加熱調理器の内部が外側から見えないようにするものである。ただ、赤外線センサ８０の上部に位置する部位については、遮光手段１１を設けない又は赤外線センサ８０の視野角度に影響しない範囲で印刷面積を小さくして、鍋１００からの赤外線が透過するようにしておく。また、遮光手段１１又はトッププレート１０の材料そのものを、赤外線は透過するが可視光線は通さないものを用いてもよい。
【００２５】
制御装置５０は、前述したように誘導加熱調理器全体を制御する。ここで、制御装置５０は、温度判定手段５１、反り量判定手段５２、底厚判定手段５３、油量判定手段５４及び放射率判定手段５５を有しているものとする。特に、温度判定手段５１は、赤外線センサ８０の検知に係る赤外線量、接触式温度センサ８１の検知に係る温度等に基づいて鍋１００の温度等を判定する機能を実現する手段である。また、反り量判定手段５２は、赤外線センサ８０又は、接触式温度センサ８１の検知に係る温度等に基づいて、鍋１００の反り量を判定する機能を実現する手段である。さらに、底厚判定手段５３は、赤外線センサ８０又は、接触式温度センサ８１の検知に係る温度等に基づいて、鍋１００の底厚を判定する機能を実現する手段である。油量判定手段５４は、赤外線センサ８０又は、接触式温度センサ８１の検知に係る温度等に基づいて、鍋１００内の油の量を判定する機能を実現する手段である。放射率判定手段５５は、赤外線センサ８０及び、接触式温度センサ８１の検知に係る温度等に基づいて、鍋１００の赤外線の放射率を判定する機能を実現する手段である。
【００２６】
ここで、本実施の形態の制御装置５０が有するマイクロコンピュータは、例えばＣＰＵ（Ｃｅｎｔｒａｌ  Ｐｒｏｃｅｓｓｉｎｇ  Ｕｎｉｔ  ）等の制御演算処理手段（図示せず）を中心として構成されている。また、記憶手段（図示せず）を有しており、上述した各種判定手段が行う機能、制御等に係る処理手順をプログラムとしたデータを有している。そして、制御演算処理手段がプログラムのデータに基づく処理を実行して制御を実現する。ここで、例えば、外部の電気・情報機器、コンピュータ、サーバ等のハードリソースがプログラムを有し、データのやりとり等を行って協働させて処理の少なくとも一部を外部の装置に容易に実現させることができる。また、温度判定手段５１等の機能を実現するために、制御装置５０が処理としているが、制御装置５０の外部に専用の演算回路等を設けるようにしてもよい。
【００２７】
次に、本実施の形態の誘導加熱調理器の動作について説明する。使用者が入力電力（火力）を設定して加熱スタートボタン（図示せず）を押すと、制御装置５０は、インバータ７０に対し、加熱部６０の加熱コイル６１電力を供給させるようにする。このとき、例えば電流検出部（図示せず）により加熱コイル６１に流れる電流量を検知することにより、加熱口１３に鍋１００が載置されているか否か、鍋１００が加熱に適したもの（適合鍋）であるか否かを判定する。鍋１００が載置されており、適合鍋であると判定すると、インバータ７０により加熱部６０の加熱コイル６１に所定の周波数の電力を供給して、加熱動作を開始する。所定の周波数の電力に対応する磁束が加熱コイル６１から発生して電磁誘導により鍋１００を加熱する。
【００２８】
ここで、トッププレート１０において、赤外線センサ８０の上部に位置する部位には遮光手段１１がない。このため、赤外線センサ８０は、加熱された鍋１００から放射される赤外線を受光することができる。また、接触式温度センサ８１は、鍋１００の温度をトッププレート１０を介して検知する。
【００２９】
制御装置５０には、赤外線センサ８０が受光した赤外線量を表す信号及び接触式温度センサ８１の検知に係る温度を表す信号が入力される。制御装置５０の温度判定手段５１は、赤外線センサ８０の受光に係る赤外線量に基づいて鍋１００の温度を判定する。また、制御装置５０の温度判定手段５１は、接触式温度センサ８１の検知に係る温度も併用して、鍋１００の温度を判定し、温度判定手段５１が判定した温度が、所定温度（例えば１８０℃）となったものと判断すると、所定の入力電力パターンで鍋１００を加熱する制御処理に移行する。
【００３０】
ここで、温度判定手段５１が赤外線センサ８０で受光した赤外線量に基づいて鍋１００の温度を求める処理について説明する。赤外線センサ８０が受光する赤外線は、図３のＡ、Ｂ、Ｃに示すように大きく３種類のものに分かれる。Ａは鍋１００が直接放射する赤外線である。また、Ｂはトッププレート１０の鍋積載面から放射される赤外線である。ここで、トッププレート１０は鍋１００と接触しているため、鍋１００の温度とほぼ同等の温度を示す。Ｃはトッププレート１０の下面側から放射される赤外線である。鍋１００の熱がトッププレート１０を伝わって放射される赤外線であるため、鍋１００の熱に対して遅れる。
【００３１】
トッププレート１０の素材にはガラスが用いられているが、ガラスの赤外線放射率は約０．８４程度と高いことが知られている。制御装置５０は、赤外線センサ８０から、受光赤外線量Ｐと赤外線センサ８０の内部に組み込まれた温度センサ（図示せず）の検知に係る周囲温度Ｔｏとを読み込む。受光赤外線量Ｐの中には、赤外線Ｃが含まれているため、温度判定手段５１は、接触式温度センサ８１の検知に係る温度に応じて、赤外線Ｃに相当する分を減算する。減算して得られた赤外線量Ｐ１には、鍋１００から直接放射される赤外線Ａとトッププレート１０の鍋接触面から放射される赤外線Ｂとが含まれる。鍋１００の赤外線放射率は０．１６〜０．８６までの値をとる可能性があるが、トッププレート１０の赤外線放射率は約０．８４である。そこで、温度判定手段５１は、赤外線放射率εを０．８４とし、Ｐ１＝σ（ε・Ｔａ4−Ｔｏ4）により鍋１００の温度Ｔａを算出する。ここで、σはステファン・ボルツマン定数を表す。
【００３２】
温度判定手段５１は以上のような処理を行って鍋１００の温度を遅れなく判定することができる。
【００３３】
図４は、本実施の形態の誘導加熱調理器の動作を示すタイミングチャートの一例を表す図であり、本実施の形態の誘導加熱調理器において、鍋温度を所定温度で保温する場合の鍋温度と火力（入力電力）の関係を表す。ここでは、使用者の設定した第１の加熱量に対応する入力電力（例えば図４では１．５ｋＷ）で加熱を開始する。そして、例えば第１の所定温度（例えば１８０℃）で鍋１００の温度を維持できるように制御を行うようにするものとする。加熱を開始すると、赤外線センサ８０は受光した赤外線量に係る信号を温度判定手段５１に送る。
【００３４】
そして、温度判定手段５１（赤外線センサ８０）の判定に係る温度が第１の所定温度に達したもの（第１の所定温度以上である）と判断すると、温度判定手段５１（赤外線センサ８０）の判定に係る温度情報に基づく強弱を含んだ２種類以上の異なった電力の組み合せで構成した入力電力パターンで鍋１００を加熱するよう制御する。
【００３５】
図５は本発明の実施の形態の誘導加熱調理器の入電力パターンの一例を示す図である。図５では、２つの異なる入力電力は、使用者の設定した入力電力よりも小さい電力となっている。ここで、図５では２つの異なる入力電力の切り替えを所定時間毎に繰り返す入力電力パターンとしたが、これに限定するものではない。３以上の異なる入力電力を切り替えるようにしてもよい。また、入力電力によって時間を異ならせるようにしてもよい。
【００３６】
また、温度判定手段５１（赤外線センサ８０）の判定に係る温度が第２の所定温度（例えば１７５℃）以下になったものと判断すると、制御装置５０は食材負荷が投入されたと判断し、負荷の大きさに応じた入力電力パターンを設定する。
【００３７】
このとき、例えば炒め物調理時等において、鍋１００内の被加熱物である具材の量が多い高負荷の場合は、具材に吸収される熱量が多いため、単に加熱を停止等しただけでは鍋１００の温度が下がりやすくなる。本実施の形態のように、第１の所定温度に達した後、強弱の入力電力パターンを繰り返すことで、少なくとも、鍋１００の温度を一気に下げることなく、加熱を維持することができ、急激に鍋１００の温度が下がり、調理ができなくなったり、使用者が火力（電力）低下感を感じたりすることがなく、使い勝手のよい誘導加熱調理器を提供することができる。
【００３８】
また、具材投入による温度変動が小さい低負荷の場合、強弱のパターンを含んだ２種類以上の異なった電力の組み合せで構成した入力電力パターンを繰り返すことで、第１の所定温度からの変動が少ない、温度を一定に保てる誘導加熱調理器を提供することができる。
【００３９】
例えば赤外線センサ８０が受光した赤外線に基づいて検知された鍋温度が第１の所定温度以上になった場合には、入力電力パターンの弱電力（最小電力値）からはじめるようにし、赤外線センサ８０が受光した赤外線に基づいて検知された鍋温度が第１の所定温度以下になった場合には、入力電力パターンの強電力（最大電力値）からはじめるようにする。これにより、第１の所定温度よりも温度が高い場合には、温度が下がる方向で制御が始まるため、実際の鍋１００の温度が第１の所定温度よりも高くても、すぐに第１の所定温度に復帰させることができ、第１の所定温度よりも温度が低い場合には、温度が上がる方向で制御が始まるため、実際の鍋１００の温度が第１の所定温度よりも低くても、すぐに第１の所定温度に復帰させることができる。このため、精度高く温度を一定に保つことができる誘導加熱調理器を提供することができる。
【００４０】
ここで、本実施の形態では、赤外線センサ８０の検知に係る赤外線による温度に基づいて制御を行うようにしたが、例えば放射率判定手段５５によって放射率を判定した上で制御を行うようにしてもよい。例えば、赤外線放射率が０．１６の鍋の場合には、鍋１００が直接放射するＡの赤外線量が少なく、温度を低く判定してしまう可能性がある。また、赤外線放射率が０．８６の鍋の場合には、鍋１００が直接放射するＡの赤外線量が大きくなる。このように鍋１００の放射率により赤外線の放射エネルギーが変動するため、鍋１００の放射率を判定することで、入力電力パターンを規定することで、放射率による温度誤検知分を考慮した加熱を行うことができる。
【００４１】
また、底厚判定手段５３により鍋１００の底厚を判定するようにしてもよい。底厚を判定しておくことにより、底厚が厚い場合は火力を強くして温度復帰時間を短くすることができる。また、底厚が薄い場合は火力を弱くして、油等による発火を防ぎながら安全に調理を行うことができる。
【００４２】
以上のように、実施の形態１の加熱調理器によれば、インバータ７０を駆動させて加熱部６０による誘導加熱を行って鍋１００を加熱する制御装置５０の制御において、第１の所定温度以上であると判断すると、単に入力電力を下げるのではなく、強弱を含んだ入力電力パターンにより、入力電力の切り替えを行いながら制御して鍋１００を加熱するようにしたので、油や鍋の温度が急激に変動しないように加熱制御を行うことができ、具材の量等に関係なく、鍋１００の温度を第１の所定温度近辺に精度よく保つことができる。
【００４３】
また、これにより、フライパン調理、揚げ物調理等をする際に、具材投入による温度変動を精度良く判定等することができる。このため、例えば、温度低下を検知した際、温度の復帰が早くできるように制御装置５０は大きめの火力電力を選定することができる。そして、例えばフライパン調理では具材投入時の火力感が得られ、揚げ物調理では冷凍コロッケなどの重負荷投入の場合でもカラッと仕上がり、衣が破裂することを防ぐことが可能となる。
【００４４】
さらに、鍋１００の温度の検知に赤外線センサ８０を用いるようにしたので、サーミスタ等を用いる場合に比べて追従性がよく、より高精度に温度を検知することができる。このとき、赤外線センサ８０をフィルタで覆う等して、トッププレート１０の放射等による赤外線の影響を除去することで、より高精度に温度を検知することができる。
【００４５】
実施の形態２．
本実施の形態では、実施の形態１において説明した第１の所定温度、第２の所定温度、入力電力パターン及び繰り返し周期の関係等について、具体例を挙げて説明する。
【００４６】
例えば、図５のように、入力電力パターンを設定する場合、第１の所定温度を維持できる電力が６００Ｗとした場合、Ｄｕｔｙ５０％となるようにし、入力電力を選択する。このとき、例えば最大電力１２００Ｗ、最小電力０Ｗのように電力差が大きい場合、電力変動による赤外線センサ８０の出力変動も大きくなる恐れがあるため、最大電力と最小電力の電力差が４００Ｗ以下となるように設定する。そうすることで、第１の所定温度を維持しながら、赤外線センサ８０の出力変動も抑えることができる。
【００４７】
図４及び図５に示すように、入力電力の強弱の切換は３秒間隔で行うことで、温度のリップル幅を５℃以下に抑えることができる。このため、使用者に火力低下感を感じさせない調理を行うことができる。ここで、例えば４秒以上１０秒以下であれば、温度のリップル幅を使用者に火力低下感を感じさせない許容範囲に収めることができ、また食材負荷投入時の温度変化を簡単に判別することができる。
【００４８】
また、図４、図５に示すように、第１の所定温度との差が大きい場合には、入力電力を０Ｗや１．５ｋＷなどに固定することで、より早く第１の所定温度に近づけることができる。ここで、上記の説明においては、固定の電力を０Ｗと１．５ｋＷの例について説明したが、それ以外の値、例えば１００Ｗや１．８ｋＷなどとしてもよい。
【００４９】
実施の形態３．
本実施の形態における誘導加熱調理器の構成については、実施の形態１で説明した誘導加熱調理器と同様である。また、誘導加熱調理器の動作を示すタイミングチャートについては図４を用いる。上述の実施の形態１、２においては、鍋１００の温度が第１の所定温度に達したものと判断すると、強弱を含んだ入力電力パターンで入力電力の切り替えを行いながら制御して鍋１００を加熱するようにした。本実施の形態では、第１の所定温度より低い温度の複数の設定温度を定めておく（図４では６つの設定温度を定めている）。そして、鍋１００の温度が各設定温度を下回ったものと判断すると、各設定温度に対応する電力を入力して鍋１００を加熱するようにしたものである。ここで、各設定温度に対応する電力については、第１の所定温度と設定温度との温度差が大きいほど、入力電力が大きくなるようにする。そして、鍋１００の温度が第１の所定温度以上であるものと判断するまで、供給する電力を変更しないようにする。
【００５０】
以上のように、実施の形態３の加熱調理器によれば、第１の所定温度より低い温度の複数の設定温度を定めておき、各設定温度を下回れば、第１の所定温度との温度幅に基づく電力供給を行って鍋１００の加熱を行うようにしたので、例えば揚げ物等を行う際、具材投入により急激に下がった鍋１００等の温度を第１の所定温度に早く復帰させることができる。
【００５１】
実施の形態４．
図６及び図７は本発明の実施の形態４に係る自動揚げ物メニューが選択されたときの制御装置５０の処理手順を示す図である。本実施の形態における誘導加熱調理器の構成については、実施の形態１で説明した誘導加熱調理器と同様である。自動揚げ物メニューは、使用者が鍋１００内の油の温度を例えば手動で設定し、設定した油の温度に基づいて被加熱物である具材が揚げ物として揚がるまでの油の温度制御を自動的に行うものである。例えば油の温度は１０℃刻みで１４０℃から２２０℃の範囲で設定することができる。使用者が設定しない場合には、１８０℃が設定される。
【００５２】
例えば使用者が上面操作部２２を介して自動揚げ物メニューでの調理を選択し、油の温度を設定すると、インバータ７０により加熱コイル６１に通電を開始する。このとき、まず初期検知を行う（Ｓ１）。初期検知においては、前述したように、鍋１００が載置されているかどうかを判断する（Ｓ２）。鍋１００が載置されていると判断すると、さらに、加熱コイル６１に流れる電流に基づいて、鍋１００の材質によるインピーダンスの違いに基づき、鍋１００の材質を判断して適合鍋かどうかを判定する（Ｓ３）。Ｓ２で鍋が載置されていないと判断したとき、Ｓ３で適合鍋でないと判定したときは、加熱コイル６１への通電を停止して加熱を停止する（Ｓ１２）。
【００５３】
次に予熱工程を開始する（Ｓ４）。加熱を行っている間に、赤外線センサ８０の検知に係る温度に基づいて、所定時間（例えば５０秒）における温度の上昇（温度変化）から鍋反り量判定手段５２は鍋１００の反り量を判定する。また、鍋１００の反り量が限界反り量を表す温度変化よりも大きいかどうかを判断する（Ｓ５）。限界反り量を表す温度変化以下であると判断すると、温度変化に対応する反り量をデータとして記憶手段に記憶する（Ｓ６）。ここで、鍋１００の反り量は、鍋１００内の具材等の温度に影響されない加熱開始直後における鍋１００の温度変化に基づいて判定する。
【００５４】
さらに、温度変化に基づいて、油量判定手段５４は鍋１００内の油量を判定する。また、最小油量を表す温度変化よりも大きいかどうかを判断する（Ｓ７）。最小油量を表す温度変化以下であると判断すると、温度変化に対応する油量をデータとして記憶手段に記憶する（Ｓ８）。ここで鍋１００の油量は、鍋１００が加熱されてある程度時間が経過してからの温度変化に基づいて判定することができる。Ｓ５、Ｓ７では、鍋１００の反り量が大きいほど鍋１００内の油の温度が伝わるまで時間がかかる、油量が多いほど電力を少なくしたとき等の温度上昇は少ないことから、所定の時間における温度変化により判断を行っているが、判定した反り量、油量により判断を行うようにしてもよい。
【００５５】
そして、判断した反り量及び油量に応じた加熱パターンに設定する（Ｓ９）。判定した反り量に応じた加熱パターンとすることで、赤外線センサ８０の検知に係る温度の誤検知分を考慮した最適な加熱を行うことができる。また、判定した油量に応じた加熱パターンとすることで、油量が多い場合は温度復帰時間を短くし、油量が少ない場合は発火を防ぎながら安全に加熱することができるようにする。一方、Ｓ５において限界反り量を表す温度変化より大きいと判断する又はＳ７において最小油量を表す温度変化より大きいと判断すると、加熱コイル６１への通電を停止して加熱を停止する（Ｓ１２）。
【００５６】
そして、赤外線センサ８０の検知に係る温度に基づいて、鍋温度が設定した油の温度に達したものと判断すると（Ｓ１０）、予熱工程が完了したことを報知手段に報知させて（Ｓ１１）、予熱工程を完了する。報知については、また、音声合成装置３４、スピーカ３５を介して、使用者に「油の温度が適温になりました。具材を投入してください」というような音声ガイドを行わせる。
【００５７】
予熱工程を完了すると保温工程を開始する（Ｓ１３）。保温工程においても、判定した反り量及び油量に応じた加熱パターンで制御を行う（Ｓ１４）。保温工程では、油の温度を設定温度に保つように加熱制御を行う。制御装置５０は赤外線センサ８０の検知に係る温度に基づいて、鍋温度が、設定温度に基づいて定めた制御温度以下になったかどうかを判断する（Ｓ１５）。制御温度以下になったものと判断すると、鍋１００に例えば冷凍されていたコロッケ等の具材（負荷）を投入したことによる温度降下であるかどうかを判断し、負荷投入を検知する（Ｓ１６）。
【００５８】
図８は投入される具材（負荷）の量、鍋１００の温度（検知温度）及び火力の関係を示す図である。図８に示すように、負荷量が少ないと温度降下幅がΔＴ１１であるのに対し、負荷量が多いと温度降下幅がΔＴ１２となる。このように、負荷量が多いほど温度降下幅が大きくなり、また、電力供給も多くなる。そして、例えば図８では温度Ｔ１に対してΔＴ１の降下があれば火力を上げるようにしている。
【００５９】
制御装置５０は、具材投入を検知すると、温度の下降幅に基づいて、負荷（具材）の重さ（負荷量）を判定する（Ｓ１７）。そして、判定した負荷の重さを負荷量のデータとして記憶手段に記憶する（Ｓ１８）。負荷量に応じて制御温度を変更処理する（Ｓ１９）。そして、反り量及び油量並びに負荷量に応じた加熱パターンで制御を行う（Ｓ２０）。そして、変更した制御温度以上になったかどうかを判断する（Ｓ２１）。変更した制御温度より低いと判断すると、Ｓ１７に戻って、負荷量等に応じた制御を行う。また、変更した制御温度以上になったものと判断すると、火力を上げて揚げ物をカラッと仕上げるための火力アップ工程を行う（Ｓ２２）。そして、揚げ物調理を終了するかどうかを判断する（Ｓ２３）。揚げ物調理を終了すると判断すると、加熱コイル６１への電力供給を停止し、加熱を停止する（Ｓ２６）。
【００６０】
一方、Ｓ１６において、具材（負荷）を投入したことによる温度降下でない（具材投入を検知しない）と判断すると、判断した反り量及び油量に応じた加熱パターンで、制御温度以上となるように加熱する制御を行う（Ｓ２４）。そして、制御温度以上であるかどうかを判断する（Ｓ２５）。制御温度より低いと判断すると、Ｓ１６に戻って処理を行う。また、制御温度以上であると判断すると、Ｓ１４に戻り、判定した反り量及び油量に応じた加熱パターンで制御を行う。
【００６１】
図９は本発明の実施の形態４に係る自動揚げ物メニューにおける通電制御パターン等の一例を示す図である。ここでは図６〜図８に基づいて、調理メニューから揚げ物調理が選択されたときの誘導加熱調理器の動作等について説明する。自動揚げ物調理の調理メニューを使用者が選択すると、制御装置５０は、前述したように予熱工程、揚げ物調理工程、火力アップ工程を順次実行する。
【００６２】
まず、予熱工程では、使用者の油の設定油温度が１８０℃である場合、予熱工程では所定の入力電力（最大１５００Ｗ）によりインバータ７０の駆動を開始させ、加熱部６０に電力供給を行う。鍋１００の加熱により、油の温度は室温（例えば２０℃）から目標温度Ｔ１の１８０℃まで急速に上昇する。
【００６３】
上述した鍋１００の温度については、温度判定手段５１が赤外線センサ８０の検知に基づいて、リアルタイムで監視している。設定温度Ｔ１（第１の温度）の１８０℃になったことを温度判定手段５１が判定すると、制御装置５０は、誘導加熱量、つまりインバータ７０を制御して、実施の形態１で説明したように、保温工程を開始する。
【００６４】
そして、使用者の負荷投入により鍋１００内の油は急速に冷やされる。このため、温度が急降下する。しかし、温度判定手段５１はこのような温度降下の動きを監視しているので、直ちにインバータ７０から電力を供給し、所定の入力電力１５００Ｗ又は１８００Ｗに上げて加熱させる。これにより鍋１００内の油の温度は再び上昇する（温度フィードバック制御）。このようにして再び目標温度Ｔ１に至った段階で（又は所定時間経過したら）揚げ物調理工程から火力アップ工程に移行する。
【００６５】
火力アップ工程では、設定温度Ｔ１よりも高い第２の温度Ｔ２の２２５℃と、これよりさらに高い上限温度（第３の温度）Ｔ３の２３０℃間に油の温度が維持されるように制御装置５０はインバータ７０を制御する。このとき、図８に示すように、電力９００Ｗ程度で間欠駆動させる。ここで、第３の温度Ｔ３になった以降の工程は「揚げ物仕上げ工程」と呼び、揚げ物をカラッと仕上げるための重要な工程となる。火力アップ工程で十分な電力を入力して調理することで揚げ物がうまくできる。
【００６６】
ここで、図９に示すように、自動揚げ物調理の調理メニューにおいて、保温工程から火力アップ工程までを「優先調理メニューの実行時間帯」とし、この実行時間帯には外部からの操作、指令によって電力を削減しないようにする。このため、制御装置５０は、「優先調理メニューの実行時間帯」で実行しているかどうかを常に把握しておき、実行時間帯であれば、その旨を外部に報知するようにする。
【００６７】
以上のように、実施の形態４の誘導加熱調理器によれば、自動揚げ物調理において、具材投入による温度変動（温度低下）を精度良く判定等し、温度復帰等を早くすることができるので、揚げ物の仕上がりをカラッとさせることができる。このとき、反り量判定手段５２が判定した鍋１００の反り量、油量判定手段５４が判定した鍋１００内の油量に応じた加熱パターンに設定することで、温度誤検知の考慮、油を加熱しすぎないようにして安全等をはかりながら、揚げ物調理を行うことができる。
【産業上の利用可能性】
【００６８】
本発明に係る加熱調理器は、被加熱物の温度を一定に保つ加熱パターンでの制御を行うことで、揚げ物調理やフライパン調理などで、具材の投入を正確に検知することが可能となる。このため、上述の実施の形態１で説明した誘導加熱調理器だけでなく、他の加熱方式の加熱調理器についても適用することができる。また、据置型やビルトイン型の誘導加熱式加熱源専用調理器及び他の輻射式加熱源との複合型誘導加熱調理器に広く利用することができる。
【符号の説明】
【００６９】
１  本体ケース、１０  トッププレート、１１  遮光手段、１２  主電源スイッチ、１３，１３Ｌ，１３Ｒ  加熱口、２０  操作パネル、２１Ｌ，２１Ｒ  ダイヤル、２２  上面操作部、３０  中央表示パネル、３１Ｌ，３１Ｒ  表示パネル、３２Ｌ，３２Ｒ  表示部、３３  表示部駆動回路、３４  音声合成装置、３５  スピーカ、４１  グリル扉、４２  グリル庫、４３  受け皿、４４  グリル網、４６  取っ手、４７  吸気口、４８  排気口、５０  制御装置、５１  温度判定手段、５２  反り量判定手段、５３  底厚判定手段、５４  油量判定手段、５５  放射率判定手段、５６  電源回路、６０，６０Ｌ，６０Ｒ  加熱部、６１，６１Ｌ，６１Ｒ  加熱コイル、６２Ｌ，６２Ｒ  共振コンデンサー、６３  輻射式電気ヒータ、６４  触媒ヒータ、７０，７０Ｌ，７０Ｒ  インバータ、７１  グリルヒータ駆動回路、７２  触媒ヒータ駆動回路、８０  赤外線センサ、８１  接触式温度センサ、１００  鍋、２００  交流電源。
【図１】
2014026772.tif 000003
【図２】
2014026772.tif 000004
【図３】
2014026772.tif 000005
【図４】
2014026772.tif 000006
【図５】
2014026772.tif 000007
【図６】
2014026772.tif 000008
【図７】
2014026772.tif 000009
【図８】
2014026772.tif 000010
【図９】
2014026772.tif 000011